(57)【要約】      （修正有）【課題】異なるピン間隔およびピン径に対応したアタッチメント連結部をそれぞれ有する複数のバックホウでも連結することができるアタッチメント用カプラを提供する。【解決手段】大型バックホウ用のピン径が大きい大型バックホウ用ピン１３が挿入される第１大型バックホウ用ピン支持部１１ｄ１と、小型バックホウ用のピン径が小さい小型バックホウ用ピン１４が挿入される小型バックホウ用ピン支持部１１ｄ２と、第１大型バックホウ用ピン支持部１１ｄ１から大型バックホウ用ピン１３のピン間隔および小型バックホウ用ピン支持部１１ｄ２から小型バックホウ用ピン１４のピン間隔の双方に対応した位置に設けられ、第１大型バックホウ用ピン支持部１１ｄ１の内径と同じ内径を有する第２大型バックホウ用ピン支持部１１ｄ３とを有し、大型バックホウ用ピン１３または小型バックホウ用段付きピン１５を挿入する。【選択図】図１
0003225463.tif 000002
【実用新案登録請求の範囲】
【請求項１】
アタッチメント側に設けられ、バックホウの作業アーム先端のアタッチメント連結部が連結されるアタッチメント用カプラであって、
大型バックホウ用のピン径が大きい大型バックホウ用ピンが挿入され支持する第１大型バックホウ用ピン支持部と、
小型バックホウ用のピン径が小さい小型バックホウ用ピンが挿入され支持する小型バックホウ用ピン支持部と、
前記第１大型バックホウ用ピン支持部から前記大型バックホウ用ピンのピン間隔および前記小型バックホウ用ピン支持部から前記小型バックホウ用ピンのピン間隔の双方に対応した位置に設けられ、前記第１大型バックホウ用ピン支持部の内径と同じ内径を有する第２大型バックホウ用ピン支持部とを有し、
前記第２大型バックホウ用ピン支持部には、前記大型バックホウ用ピンまたは両端部に前記大型バックホウ用ピンのピン径と同じ外径の大径部を有する一方、その両端部の大径部の間に前記小型バックホウ用ピンのピン径と同じ外径の小径部を有する小型バックホウ用段付きピンが挿通され、
前記第１大型バックホウ用ピン支持部および前記第２大型バックホウ用ピン支持部にそれぞれ通した前記大型バックホウ用ピンを介して大型バックホウの作業アーム先端のアタッチメント連結部が連結される一方、
前記小型バックホウ用ピン支持部に挿通された前記小型バックホウ用ピンと前記第２大型バックホウ用ピン支持部に通した前記小型バックホウ用段付きピンとを介して小型バックホウの作業アーム先端のアタッチメント連結部が連結されることを特徴とするアタッチメント用カプラ。
【請求項２】
請求項１記載のアタッチメント用カプラを有することを特徴とするアタッチメント。
【請求項３】
請求項２記載のアタッチメントを装着されていることを特徴とするバックホウ。
【考案の詳細な説明】
【技術分野】
【０００１】
本考案は、アンダーカッターや、タイタンパー、マクラギグリッパー、バケット等の各種アタッチメント側に設けられ、バックホウの作業アーム先端のアタッチメント連結部が連結されるアタッチメント用カプラ、およびそのアタッチメント用カプラを有するアタッチメント、バックホウに関する。
【背景技術】
【０００２】
従来より、保線作業現場等では、バックホウと呼ばれる建設機械の作業アーム先端にアタッチメント連結部を介してアンダーカッターや、タイタンパー、マクラギグリッパー、バケット等の各種アタッチメントが連結されて各種保線作業が行われている（例えば、特許文献１参照。）。このようなバックホウでは、油圧等で動作する作業アーム先端のアタッチメント連結部を、アタッチメント用カプラ側に設けられた２本のピンに連結して各種アタッチメントを装着し、各種保線作業を行う。
【先行技術文献】
【特許文献】
【０００３】
【特許文献１】特開２０１９‐０３５３００号公報
【考案の概要】
【考案が解決しようとする課題】
【０００４】
しかし、上述の特許文献１に記載されたアタッチメント側のアタッチメント用カプラでは、通常、バックホウやアタッチメントの大きさに応じてピンの間隔が決まっているため、そのピン間隔に対応しないアタッチメント連結部を有するバックホウでは連結できないという問題があった。
【０００５】
特に、大型のバックホウは、作業アーム先端のアタッチメント連結部のピン間隔が大きい大間隔であるだけでなく、ピン径も大径となる一方、小型のバックホウは作業アーム先端のアタッチメント連結部のピン間隔およびピン径が小さくなる傾向にあり、同種のアタッチメントでも大型バックホウ用の物と小型バックホウ用の物を用意する必要があり、保管場所が必要になると共に、コストが上昇する問題があった。
【０００６】
そこで、本考案は、このような問題点を解決するためになされたもので、異なるピン間隔およびピン径に対応したアタッチメント連結部をそれぞれ有する複数のバックホウと連結することができるアタッチメント用カプラ、およびそのアタッチメント用カプラを有するアタッチメント、バックホウを提供することを目的とする。
【課題を解決するための手段】
【０００７】
前記課題を解決するため、本考案に係るアタッチメント用カプラは、アタッチメント側に設けられ、バックホウの作業アーム先端のアタッチメント連結部が連結されるアタッチメント用カプラであって、大型バックホウ用のピン径が大きい大型バックホウ用ピンが挿入され支持する第１大型バックホウ用ピン支持部と、小型バックホウ用のピン径が小さい小型バックホウ用ピンが挿入され支持する小型バックホウ用ピン支持部と、前記第１大型バックホウ用ピン支持部から前記大型バックホウ用ピンのピン間隔および前記小型バックホウ用ピン支持部から前記小型バックホウ用ピンのピン間隔の双方に対応した位置に設けられ、前記第１大型バックホウ用ピン支持部の内径と同じ内径を有する第２大型バックホウ用ピン支持部とを有し、前記第２大型バックホウ用ピン支持部には、前記大型バックホウ用ピンまたは両端部に前記大型バックホウ用ピンのピン径と同じ外径の大径部を有する一方、その両端部の大径部の間に前記小型バックホウ用ピンのピン径と同じ外径の小径部を有する小型バックホウ用段付きピンが挿通され、前記第１大型バックホウ用ピン支持部および前記第２大型バックホウ用ピン支持部にそれぞれ通した前記大型バックホウ用ピンを介して大型バックホウの作業アーム先端のアタッチメント連結部が連結される一方、前記小型バックホウ用ピン支持部に挿通された前記小型バックホウ用ピンと前記第２大型バックホウ用ピン支持部に通した前記小型バックホウ用段付きピンとを介して小型バックホウの作業アーム先端のアタッチメント連結部が連結されることを特徴とする。
また、本考案に係るアタッチメントでは、上述のアタッチメント用カプラを有することを特徴とする。
また、本考案に係るバックホウでは、上述のアタッチメントを装着されていることを特徴とする。
【考案の効果】
【０００８】
本考案に係るアタッチメント用カプラ、アタッチメント、バックホウでは、第１大型バックホウ用ピン支持部と、小型バックホウ用ピン支持部と、第２大型バックホウ用ピン支持部とを有し、第１大型バックホウ用ピン支持部と第２大型バックホウ用ピン支持部とにそれぞれ大型バックホウ用ピンを通した場合には大型バックホウの作業アーム先端のアタッチメント連結部を連結することができる。
また、小型バックホウ用ピン支持部には小型バックホウ用ピンを通し、第２大型バックホウ用ピン支持部には両端部に大型バックホウ用ピンのピン径と同じ外径の大径部を有し、かつ、中央部に小型バックホウ用ピンのピン径と同じ外径の小径部を有する小型バックホウ用段付きピンを通した場合には、小型バックホウの作業アーム先端のアタッチメント連結部を連結することができる。
そのため、一台のアタッチメントであっても異なるピン間隔およびピン径に対応したアタッチメント連結部を有する大型バックホウと小型バックホウの双方を連結することができる。
【図面の簡単な説明】
【０００９】
【図１】本考案に係る実施形態のアタッチメント用カプラを有するアタッチメントであるアンダーカッターの斜視図である。
【図２】本考案に係る実施形態のアタッチメント用カプラの斜視図である。
【図３】（ａ），（ｂ）それぞれ本考案に係る実施形態のアタッチメント用カプラの正面図、平面図である。
【図４】（ａ），（ｂ）それぞれ図３（ｂ）におけるＡ−Ａ線断面図、Ｂ−Ｂ線断面図である。
【図５】（ａ）〜（ｃ）それぞれ本考案に係る実施形態のアタッチメント用カプラにおける大型バックホウ用ピンの斜視図、正面図、側面図である。
【図６】（ａ）〜（ｃ）それぞれ本考案に係る実施形態のアタッチメント用カプラにおける小型バックホウ用段付きピンの斜視図、正面図、側面図である。
【図７】（ａ），（ｂ）それぞれ本考案に係る実施形態のアタッチメント用カプラを使用して大型バックホウの作業アームにアンダーカッターを連結した状態を示す全体正面図、大型バックホウのアタッチメント連結部とアタッチメント用カプラとの連結状態を示す要部拡大断面図である。
【図８】（ａ），（ｂ）それぞれ本考案に係る実施形態のアタッチメント用カプラを使用して小型バックホウの作業アームにアンダーカッターを連結した状態を示す全体正面図、小型バックホウのアタッチメント連結部とアタッチメント用カプラとの連結状態を示す要部拡大断面図である。
【考案を実施するための形態】
【００１０】
次に、本考案に係るアタッチメント用カプラ、アタッチメント、バックホウの実施形態について、添付図面を参照しながら説明する。尚、以下に説明する実施の形態はあくまで本考案の一例であり、本考案が下記に説明する実施の形態に限定されるものではなく、本考案の技術的思想の範囲内で適宜変更可能である。
【００１１】
（アタッチメント用カプラ１）
実施形態のアタッチメント用カプラ１は、図１に示すように、アンダーカッター２等のアタッチメント側に設けられ、大型バックホウ３（図７参照。）や小型バックホウ３’（図８参照。）の作業アーム３１，３１’先端のアタッチメント連結部３２，３２’が連結されるもので、カプラ本体１１と、カプラ本体１１に取付けられバックホウ３からの油圧管（油圧チューブ）が連結される油圧連結部１２とを有する。
【００１２】
カプラ本体１１は、図２や図３（ａ），（ｂ）および図４（ａ），（ｂ）等に示すように中央開口部１１ａ１が設けられる共に、油圧連結部１２が取り付けられる油圧連結用開口部１１ａ２とを有するカプラ本体ベース１１ａと、カプラ本体ベース１１ａの上面側に前方中継板１１ｂおよび後方中継板１１ｃを介し所定間隔を空けて立設するように溶接等によって設けられた一対のピン連結板１１ｄ，１１ｄとから構成されている。
【００１３】
一対のピン連結板１１ｄ，１１ｄには、図７に示すような大型バックホウ３の作業アーム３１先端のアタッチメント連結部３２のピン間隔の例えば３８０ｍｍと、ピン径の例えば５０ｍｍに対応した図５に示すような大型バックホウ用ピン１３が挿入される第１大型バックホウ用ピン支持部１１ｄ１，１１ｄ１と、図８に示すような小型バックホウ３’の作業アーム３１’先端のアタッチメント連結部３２’のピン間隔の例えば２４５ｍｍと、ピン径の例えば４５ｍｍに対応した小型バックホウ用ピン１４が小型バックホウ用ピン支持部１１ｄ２，１１ｄ２と、第１大型バックホウ用ピン支持部１１ｄ１，１１ｄ１と内径が同じで、大型バックホウ用ピン１３だけでなく、後述する図６に示すように両端部が大型バックホウ用ピン１３のピン径である５０ｍｍと同じ外径である大径部１５ａ，１５ａである一方、大径部１５ａ，１５ａの間にはに小型バックホウ用ピン１４のピン径の４５ｍｍと同じである小径部１５ｂが形成された小型バックホウ用段付きピン１５とが挿通される第２大型バックホウ用ピン支持部１１ｄ３，１１ｄ３とが設けられている。
【００１４】
図５（ａ）〜（ｃ）は、それぞれ、実施形態のアタッチメント用カプラ１の第１大型バックホウ用ピン支持部１１ｄ１，１１ｄ１および第２大型バックホウ用ピン支持部１１ｄ３，１１ｄ３に通される大型バックホウ用ピン１３の斜視図、正面図、側面図である。
【００１５】
大型バックホウ用ピン１３は、図５（ａ）〜（ｃ）に示すように外径が５０ｍｍの円柱状の棒鋼から形成されており、左右両端部の内、いずれか一方の端部には、第１大型バックホウ用ピン支持部１１ｄ１，１１ｄ１から抜けないよう固定するための固定ピン（図示せず。）が挿入されるピン孔１３ａが設けられている。
【００１６】
尚、小型バックホウ用ピン１４も、外径４５ｍｍの円柱状の棒鋼を使用して図５（ａ）〜（ｃ）に示す大型バックホウ用ピン１３と同様に円柱状に構成されている。
【００１７】
図６（ａ）〜（ｃ）それぞれ、実施形態のアタッチメント用カプラ１の第２大型バックホウ用ピン支持部１１ｄ３，１１ｄ３に通される小型バックホウ用段付きピン１５の斜視図、正面図、側面図である。
【００１８】
小型バックホウ用段付きピン１５は、図６（ａ）〜（ｃ）に示すように、両端部には大型バックホウ用ピン１３のピン径の５０ｍｍと同じ外径の大径部１５ａが設けられている一方、中央部には、小型バックホウ用ピン１４のピン径の４５ｍｍと同じ外径の小径部１５ｂが形成されており、いずれか一方の大径部１５ａには、第２大型バックホウ用ピン支持部１１ｄ３，１１ｄ３から抜けないよう固定するための固定ピン（図示せず。）が挿入されるピン孔１５ａ１が設けられている。
【００１９】
（アンダーカッター２）
アンダーカッター２は、図１等に示すようにアタッチメント用カプラ１のカプラ本体ベース１１ａの底面側に取付けられ、油圧連結部１２を介して大型バックホウ３（図７参照）や小型バックホウ３’（図８参照）等から送られてくる油圧を利用して、アンダーカッター本体２ａの無限ベルト等に所定間隔で設けられた複数の掘削爪２ｂを移動させて道床の砕石を掘削したり、掻き出す周知の保線作業用の周知のアタッチメントである。
【００２０】
＜実施形態のアタッチメント用カプラ１の使用方法＞
次に、以上のように構成された実施形態のアタッチメント用カプラ１の使用方法について説明する。尚、実施形態では、アタッチメント用カプラ１には、アタッチメントとして公知のアンダーカッター２を装着している。
【００２１】
（大型バックホウ３に使用する場合）
図７（ａ），（ｂ）は、それぞれ、大型バックホウ３の作業アーム３１先端のアタッチメント連結部３２に実施形態のアタッチメント用カプラ１を介してアンダーカッター２を連結した状態を示す全体正面図、その連結状態を示す要部拡大断面図である。
【００２２】
図７（ａ）に示すように大型バックホウ３に実施形態のアタッチメント用カプラ１を使用する場合は、図７（ｂ）に示すようにアタッチメント用カプラ１のカプラ本体１１の一対のピン連結板１１ｄ，１１ｄそれぞれの第１大型バックホウ用ピン支持部１１ｄ１，１１ｄ１に通した大型バックホウ用ピン１３と、第２大型バックホウ用ピン支持部１１ｄ３，１１ｄ３に通した大型バックホウ用ピン１３とにそれぞれ大型バックホウ３の作業アーム３１先端のアタッチメント連結部３２の連結爪３２ａ，３２ｂを係合して実施形態のアタッチメント用カプラ１を介してアンダーカッター２を連結する。
【００２３】
尚、この場合、小型バックホウ用ピン支持部１１ｄ２，１１ｄ２に小型バックホウ用ピン１４が挿入されていても挿入されてなくてもどちらでも良い。
【００２４】
（小型バックホウ３に使用する場合）
図８（ａ），（ｂ）は、それぞれ、小型バックホウ３’の作業アーム３１’先端のアタッチメント連結部３２’に実施形態のアタッチメント用カプラ１を介してアンダーカッター２を連結した状態を示す全体正面図、その連結状態を示す要部拡大断面図である。尚、アタッチメント用カプラ１およびアンダーカッター２は、図７（ａ），（ｂ）に示す大型バックホウ３で使用したものと同じである。
【００２５】
図８（ａ）に示すように小型バックホウ３’に実施形態のアタッチメント用カプラ１を使用する場合は、図８（ｂ）に示すようにアタッチメント用カプラ１のカプラ本体１１の一対のピン連結板１１ｄ，１１ｄそれぞれの第１大型バックホウ用ピン支持部１１ｄ１，１１ｄ１に通した大型バックホウ用ピン１３を使用せず、その代わりに小型バックホウ用ピン支持部１１ｄ２，１１ｄ２に小型バックホウ用ピン１４を使用する。
【００２６】
また、第２大型バックホウ用ピン支持部１１ｄ３，１１ｄ３には、大型バックホウ用ピン１３を挿入せず、その代わりに小型バックホウ用段付きピン１５を挿入して使用する。
【００２７】
小型バックホウ用段付きピン１５は、上述したように両端部には大型バックホウ用ピン１３のピン径の５０ｍｍと同じである大径部１５ａが設けられている一方、両端の大径部１５ａ，１５ａの間となる中央部には、小型バックホウ用ピン１４のピン径の４５ｍｍと同じである小径部１５ｂが設けられているため、第２大型バックホウ用ピン支持部１１ｄ３，１１ｄ３に小型バックホウ用段付きピン１５を挿入した場合、大径部１５ａ，１５ａが第２大型バックホウ用ピン支持部１１ｄ３，１１ｄ３に嵌るものの、一対のピン連結板１１ｄ，１１ｄ間には、小型バックホウ用ピン１４のピン径の４５ｍｍと同じである小径部１５ｂが露出する。
【００２８】
そのため、小型バックホウ３’の作業アーム３１’先端のアタッチメント連結部３２’の連結爪３２ａ’，３２ｂ’は、小型バックホウ用ピン支持部１１ｄ２，１１ｄ２に通した小型バックホウ用ピン１４と、第２大型バックホウ用ピン支持部１１ｄ３，１１ｄ３に通した小型バックホウ用段付きピン１５の小径部１５ｂとに係合して実施形態のアタッチメント用カプラ１を介してアンダーカッター２を連結して、砕石の除去作業等を行うことができる。
【００２９】
尚、この場合、大型バックホウ用ピン支持部１１ｄ１，１１ｄ１には、大型バックホウ用ピン１３が挿入されていても挿入されてなくても良い。尚、図８（ｂ）では、大型バックホウ用ピン支持部１１ｄ１，１１ｄ１に大型バックホウ用ピン１３が挿入されたままである。
【００３０】
＜本考案に係る実施形態のアタッチメント用カプラ１等のまとめ＞
以上説明したように、本考案に係る実施形態のアタッチメント用カプラ１では、大型バックホウ３用のピン径が大きい大型バックホウ用ピン１３が挿入される第１大型バックホウ用ピン支持部１１ｄ１，１１ｄ１と、小型バックホウ３’用のピン径が小さい小型バックホウ用ピン１４が挿入される小型バックホウ用ピン支持部１１ｄ２，１１ｄ２と、第１大型バックホウ用ピン支持部１１ｄ１，１１ｄ１から大型バックホウ用ピン１３のピン間隔および小型バックホウ用ピン支持部１１ｄ２，１１ｄ２から小型バックホウ用ピン１４のピン間隔の双方に対応した位置に設けられ、第１大型バックホウ用ピン支持部１１ｄ１，１１ｄ１の内径と同じ内径を有する第２大型バックホウ用ピン支持部１１ｄ３，１１ｄ３とを有し、第２大型バックホウ用ピン支持部１１ｄ３，１１ｄ３には、大型バックホウ用ピン１３または両端部に大型バックホウ用ピン１３のピン径と同じ外径の大径部１５ａ，１５ａを有する一方、中央部に小型バックホウ用ピン１４のピン径と同じ外径の小径部１５ｂを有する小型バックホウ用段付きピン１５を挿通する。
【００３１】
そのため、大型バックホウ３は、その作業アーム３１先端のアタッチメント連結部３２の連結爪３２ａ，３２ｂが第１大型バックホウ用ピン支持部１１ｄ１，１１ｄ１と第２大型バックホウ用ピン支持部１１ｄ３，１１ｄ３とに挿通した大型バックホウ用ピン１３，１３に係合することにより、実施形態のアタッチメント用カプラ１を介してアンダーカッター２等のアタッチメントを装着して、砕石の除去作業等を行うことができる。
【００３２】
その一方、小型バックホウ３’は、その作業アーム３１’先端のアタッチメント連結部３２’の連結爪３２ａ’，３２ｂ’が小型バックホウ用ピン支持部１１ｄ２，１１ｄ２に通した小型バックホウ用ピン１４と、第２大型バックホウ用ピン支持部１１ｄ３，１１ｄ３に通した小型バックホウ用段付きピン１５の小径部１５ｂに係合することにより、実施形態のアタッチメント用カプラ１を介して大型バックホウ３でも使用したアンダーカッター２を連結して、砕石の除去作業等を行うことができる。
【００３３】
尚、上記実施形態の説明では、アンダーカッター２のアタッチメント用カプラ１を一例として説明したが、本考案ではアンダーカッター２のアタッチメント用カプラ１に限定されることはなく、タイタンパー、マクラギグリッパー、バケット等、アンダーカッター２以外の各種アタッチメントのアタッチメント用カプラにも適用可能である。
【００３４】
また、上記実施形態の説明では、ピン間隔およびピン径が異なる大型バックホウ３および小型バックホウ３’の２種のバックホウで説明したが、本考案ではこれに限らず、ピン間隔およびピン径が異なる３種のバックホウ、つまり、さらに例えば中型バックホウにも使用できるように構成しても良い。この場合、本考案に係るアタッチメント用カプラには、第１大型バックホウ用ピン支持部から大型バックホウ用ピンのピン間隔および小型バックホウ用ピン支持部から小型バックホウ用ピンのピン間隔、さらには中型バックホウ用ピン支持部を設け、その中型バックホウ用ピン支持部から中型バックホウ用ピンのピン間隔の全てに対応した位置に、第１大型バックホウ用ピン支持部の内径と同じ内径を有する第２大型バックホウ用ピン支持部とを有し、この第２大型バックホウ用ピン支持部には、大型バックホウ用ピンや、両端部に大型バックホウ用ピンのピン径と同じ外径の大径部を有する一方、その両端部の大径部の間に小型バックホウ用ピンのピン径と同じ外径の小径部を有する小型バックホウ用段付きピン、さらには中型バックホウ用ピンのピン径と同じ外径の小径部を有する中型バックホウ用段付きピンを用意してそれぞれ差し替えて挿入できるるように構成すれば良い。
【符号の説明】
【００３５】
１  アタッチメント用カプラ
１１  カプラ本体
１１ａ  カプラ本体ベース
１１ａ１  中央開口部
１１ａ２  油圧連結用開口部
１１ｂ  前方中継板
１１ｃ  後方中継板
１１ｄ，１１ｄ  ピン連結板
１１ｄ１，１１ｄ１  第１大型バックホウ用ピン支持部
１１ｄ２，１１ｄ２  小型バックホウ用ピン支持部
１１ｄ３，１１ｄ３  第２大型バックホウ用ピン支持部
１２  油圧連結部
１３  大型バックホウ用ピン
１３ａ  ピン孔
１４  小型バックホウ用ピン
１５  小型バックホウ用段付きピン
１５ａ  大径部
１５ｂ  小径部
１５ａ１  ピン孔
２  アンダーカッター（アタッチメント）
３  大型バックホウ
３１  作業アーム
３２  アタッチメント連結部
３２ａ，３２ｂ  連結爪
３’  小型バックホウ
３１’  作業アーム
３２’  アタッチメント連結部
３２  アタッチメント連結部
３２ａ’，３２ｂ’  連結爪
【図１】
0003225463.tif 000003
【図２】
0003225463.tif 000004
【図３】
0003225463.tif 000005
【図４】
0003225463.tif 000006
【図５】
0003225463.tif 000007
【図６】
0003225463.tif 000008
【図７】
0003225463.tif 000009
【図８】
0003225463.tif 000010